(57)【要約】【課題】映像及び音声等のコンテンツデータをサーバコンピュータ等の送信装置から携帯電話等の受信装置へ送信する場合に、コンテンツデータの送信に係る通信品質を受信装置の使用者に提示する無線通信方法及び受信装置を提供する。【解決手段】送信装置１は、通信品質の測定の対象となる測定データを重畳したコンテンツデータを送信する（Ｓ１０３）。受信装置２は、測定データが重畳されたコンテンツデータを受信し（Ｓ２０２）、受信したコンテンツデータから測定データを分離する（Ｓ２０３）。そして受信装置２は、受信したコンテンツデータを記録（Ｓ２０４）又は再生する。また受信装置２は、測定データに基づいて通信品質を測定し（Ｓ２０５）、更に測定した結果に係る数値と基準値とを比較し（Ｓ２０６）、測定結果及び比較結果を出力する（Ｓ２０７）。【選択図】図３
2008211361.tif 000002
【特許請求の範囲】
【請求項１】
送信装置から受信装置へデータを送信する無線通信方法において、
受信装置は、
受信したデータに基づいて通信品質を測定し、
測定した結果について出力を行う
ことを特徴とする無線通信方法。
【請求項２】
送信装置から送信されたデータを受信する受信装置において、
受信したデータに基づいて通信品質を測定する測定手段と、
測定した結果について出力を行う出力手段と
を備えることを特徴とする受信装置。
【請求項３】
基準値及び測定した結果を比較する手段を更に備え、
前記出力手段は、比較した結果を出力する様に構成してある
ことを特徴とする請求項２に記載の受信装置。
【請求項４】
受信したデータに基づいて通信品質の測定と異なる処理を実行する処理手段を更に備え、
前記出力手段は、処理手段による処理結果として映像及び／又は音声を出力する様に構成してある
ことを特徴とする請求項２又は請求項３に記載の受信装置。
【請求項５】
前記データは、処理手段による処理の対象となる処理データに、測定手段による測定の対象となる測定データが重畳されてあり、
受信したデータから処理データ及び測定データを分離する手段を更に備えることを特徴とする請求項４に記載の受信装置。
【請求項６】
前記処理手段による処理結果の出力は、映像の表示であり、
前記出力手段は、処理手段による処理結果及び測定手段による測定結果を並べて表示する様に構成してある
ことを特徴とする請求項４又は請求項５に記載の受信装置。
【発明の詳細な説明】
【技術分野】
【０００１】
本発明は、送信装置から受信装置へデータを送信する無線通信方法、及び該無線通信方法を適用した受信装置に関し、特に使用者に無線通信に係る品質を提示する通信方法及び受信装置に関する。
【背景技術】
【０００２】
放送、無線通信等の方法にて、映像、音声等のコンテンツデータを使用者が使用する受信装置へ配信する無線通信方法が普及している。例えば特許文献１では、コンテンツサーバからコンテンツデータを配信し、配信されたコンテンツデータの中から使用者が所望するコンテンツデータを移動端末にて収集する技術が開示されている。
【０００３】
既に事業として実施されている技術としては、使用者が携帯電話等の受信装置を操作し、楽曲、映像等のコンテンツデータを、サーバコンピュータを用いた送信装置からダウンロード（配信）するプル型の無線通信方法がある。
【０００４】
また通信が比較的空いている夜間等の時間帯を利用して、送信装置からの起動により、コンテンツデータを受信装置へ配信するプッシュ型の無線通信方法もある。
【特許文献１】特開２００２−１７６４０３号公報
【発明の開示】
【発明が解決しようとする課題】
【０００５】
しかしながらコンテンツデータを配信する場合、特に無線通信にてコンテンツデータを配信する放送の場合、移動端末等の受信装置は、必ずしも配信されたコンテンツデータの受信に成功するとは限らない。またコンテンツデータの受信状況を示す通信品質は、コンテンツデータを受信するまで解らない。例えばプッシュ型の無線通信方法の場合、受信装置で映像の表示等の処理を行う段階で、使用者は受信に失敗していたことを認識する場合もある。
【０００６】
通信品質を測定する方法としては様々な方法が提案されているが、通信品質は、配信サービスを提供又は提供を補助する事業体にて測定されるため、事業体における品質管理に用いられ、使用者に測定結果が提供されることは一般に行われない。
【０００７】
なお携帯電話では、電波強度を３段階程度に分級して表示する機能を一般的に備えているが、電波強度が十分でもマルチパス干渉、伝送遅延、外来雑音等の要因により、受信したデータについて誤り（ビットエラー）、欠損等の受信異常が生じる場合がある。即ち使用者に提示される電波強度が必ずしも通信品質と一致する訳ではない。
【０００８】
本発明は斯かる事情に鑑みてなされたものであり、受信装置は、受信したデータに基づいて通信品質を測定し、測定した結果について出力を行うことにより、使用者に通信品質を提示することが可能な無線通信方法、及び該無線通信方法を適用した受信装置の提供を目的とする。
【課題を解決するための手段】
【０００９】
第１発明に係る無線通信方法は、送信装置から受信装置へデータを送信する無線通信方法において、受信装置は、受信したデータに基づいて通信品質を測定し、測定した結果について出力を行うことを特徴とする。
【００１０】
第２発明に係る受信装置は、送信装置から送信されたデータを受信する受信装置において、受信したデータに基づいて通信品質を測定する測定手段と、測定した結果について出力を行う出力手段とを備えることを特徴とする。
【００１１】
第３発明に係る受信装置は、第２発明において、基準値及び測定した結果を比較する手段を更に備え、前記出力手段は、比較した結果を出力する様に構成してあることを特徴とする。
【００１２】
第４発明に係る受信装置は、第２発明又は第３発明において、受信したデータに基づいて通信品質の測定と異なる処理を実行する処理手段を更に備え、前記出力手段は、処理手段による処理結果として映像及び／又は音声を出力する様に構成してあることを特徴とする。
【００１３】
第５発明に係る受信装置は、第４発明において、前記データは、処理手段による処理の対象となる処理データに、測定手段による測定の対象となる測定データが重畳されてあり、受信したデータから処理データ及び測定データを分離する手段を更に備えることを特徴とする。
【００１４】
第６発明に係る受信装置は、第４発明又は第５発明において、前記処理手段による処理結果の出力は、映像の表示であり、前記出力手段は、処理手段による処理結果及び測定手段による測定結果を並べて表示する様に構成してあることを特徴とする。
【００１５】
第１発明及び第２発明では、使用者に通信品質を提示することが可能である。
【００１６】
第３発明では、通信品質の測定結果を基準値と比較することにより、例えば良好、劣悪等の比較結果として使用者に提示することが可能である。
【００１７】
第４発明では、音声、映像の出力処理等の処理手段により実行される処理に対し、音飛び、映像乱れ等の影響を与える通信品質の測定結果を使用者に提示することが可能である。
【００１８】
第５発明では、例えば通信帯域の一部を用いて送信される処理データ及び測定データを分離し、映像の出力等の処理の実行及び通信品質の測定を行うことにより、出力される映像の実際の通信品質を使用者に提示することが可能である。
【００１９】
第６発明では、例えば表示されている映像に並べて測定結果を表示することにより、表示されている映像に係る通信品質を使用者に提示することが可能である。
【発明の効果】
【００２０】
本発明に係る無線通信方法及び受信装置は、送信装置から受信装置へデータを送信し、受信装置は、受信したデータに基づいて、データの誤り率、欠損率等の通信品質を測定し、測定した結果について出力を行うことにより、使用者に通信品質を提示することが可能である等、優れた効果を奏する。そして使用者は、通信品質を確認することにより、例えば通信品質が悪い場合には、データを受信する場所、時間等の条件を変更し、より良好な通信環境でのデータの受信を行う等の措置を行うことが可能となる。
【００２１】
また本発明に係る受信装置等は、例えば送信装置から受信装置へ送信するデータとして、欠損の補償を可能とした欠損補償データを送信する場合、欠損の補償可否に基づいて決定された基準値と、測定した結果とを比較し、比較の結果、例えば欠損の補償が可能であるとき、通信品質は良好であることを示す出力を行い、欠損の補償が不可能であるとき、通信品質は劣悪であることを示す出力を行う。
【００２２】
この構成により、本発明では、通信品質の測定結果を使用者にとって有用な形態で提示することが可能である等、優れた効果を奏する。
【００２３】
さらに本発明に係る受信装置等は、例えば通信帯域の一部を用いて送信される映像データ、音声データ等の処理の対象となる処理データに測定データを重畳したデータを受信した場合に、受信したデータから処理データ及び測定データを分離し、分離した処理データに基づいて、映像の表示、音声の出力等の出力処理を実行すると共に測定データに基づいて通信品質を測定する。この構成により、本発明では、出力されている実際の映像及び音声の通信品質を使用者に提示することが可能である等、優れた効果を奏する。
【００２４】
しかも本発明では、処理データに基づく映像等の処理結果及び測定データに基づく測定結果を並べて表示することにより、表示されている映像に係る通信品質を実時間で使用者に提示することが可能である等、優れた効果を奏する。
【発明を実施するための最良の形態】
【００２５】
以下、本発明をその実施の形態を示す図面に基づいて詳述する。図１は、本発明の無線通信方法を適用した通信システムの構成例を概念的に示す説明図である。図１中１は、映像データ、音声データ等のコンテンツデータ（処理データ）を送信するサーバコンピュータ等の送信装置であり、送信装置１は、携帯電話網、インターネット等の通信網、地上波デジタル放送、衛星放送等の様々な無線通信方法により、使用者が使用する携帯電話等の受信装置２へ各種データを送信する。
【００２６】
そして受信装置２は、受信したコンテンツデータに基づく出力、例えば映像データに基づく映像の表示、音声データに基づく音声の出力等の出力処理を実行する。また受信装置２は、後述する本発明の特徴である通信品質を測定する機能を備え、通信品質の測定結果を表示等の方法で出力することにより、使用者に測定結果を提示する。
【００２７】
なおコンテンツデータは、映像及び音声に係るオリジナルデータを、ＭＰＥＧ(Motion Picture Expert Group) 等の符号化形式にて圧縮符号化して送信用のデータを生成し、生成した送信用のデータを冗長化することで欠損の補償を可能とする欠損補償符号化を行ったデータとして送信装置１から送信される。そして圧縮符号化及び欠損補償符号化を行ったコンテンツデータを受信した受信装置２は、受信したコンテンツデータの欠損箇所を補償し、伸長復号することによりオリジナルデータを生成し、生成したオリジナルデータに基づいて映像及び音声を出力する。
【００２８】
図２は、本発明の無線通信方法を適用した通信システムが備える各種装置の構成例を示すブロック図である。サーバコンピュータを用いた送信装置１は、装置全体を制御するＣＰＵ等の制御手段１０と、様々なコンピュータプログラム、並びに映像データ及び音声データ等の各種データを記録するハードディスク等の記録手段１１とを備えている。
【００２９】
また送信装置１は、映像データ及び音声データをＭＰＥＧ等の符号化形式にて圧縮符号化する圧縮符号化手段１２と、圧縮符号化された映像データ及び音声データを冗長化して欠損の補償を可能とする欠損補償符号化を行うＦＥＣ(Forward Error Correction)エンコード手段１３とを備えている。そして送信装置１は、圧縮符号化、欠損補償符号化等の様々な処理を施したコンテンツデータを記録手段１１に記録し、通信手段１４から配信する。
【００３０】
送信装置１が備えるＦＥＣエンコード手段１３では、欠損補償の対象となるデータを形成する要素データ同士の論理演算の結果に基づいて欠損補償データを生成するものであり、冗長データを増やすことにより、全体としてのデータ長が長くなるが、欠損に対する耐性が強くなる。具体的な欠損補償符号化の方法としては、例えば米国特許第６，３２０，５２０Ｂ１号明細書に記載されている方法が用いられる。
【００３１】
さらに送信装置１は、コンテンツデータの送信時に通信品質の測定の対象となる測定データを重畳する重畳手段１５と、時計及びタイマとして機能する計時手段１６とを備えている。測定データは、所定のビット長及びビットパターンを有するデータである。測定データの重畳は、例えばコンテンツデータの送信単位となるパケットの一部に測定データを含ませることにより行われるが、コンテンツデータを送信する通信帯域の一部を測定データの通信帯域として用いてもよく、更にはコンテンツデータ及び測定データを時分割で交互に送信する等、様々な方法を用いることが可能である。
【００３２】
なお送信装置１に、圧縮符号化手段１２及びＦＥＣエンコード手段１３を備えさせるのではなく、既に圧縮符号化及び欠損補償符号化を行ったコンテンツデータを記録手段１１に記録し、送信する様に構成しても良い。
【００３３】
携帯電話を用いた受信装置２は、各種通信処理、音声入出力処理、画像表示処理等の各種処理を制御するＣＰＵ等の制御手段２０と、コンピュータプログラム及びデータ等の各種情報を記録するＲＯＭ、ＲＡＭ等の記録手段２１とを備えている。
【００３４】
また受信装置２は、電話通信、送信装置１から送信されるデータの受信等の通信を行うアンテナ及び通信制御回路等の通信手段２２を備えている。なお当実施の形態では、電話通信並びに各種データの通信に際し、通信手段２２を共有する形態を示しているが、夫々の通信毎に異なる通信手段２２を設ける様にしても良い。
【００３５】
さらに受信装置２は、欠損補償データの欠損箇所の補償を行う集積回路等のＦＥＣデコード手段２３、映像データ及び音声データがＭＰＥＧ等の符号化形式にて圧縮符号化されたデータである場合に、伸長復号して映像データ及び音声データのオリジナルデータを生成する集積回路等の伸長復号手段２４、並びに通信品質の測定処理を行う集積回路等の測定手段２５を備えている。なおＦＥＣデコード手段２３、伸長復号手段２４及び測定手段２５として集積回路を実装するのではなく、記録手段２１に記録したコンピュータプログラムを実行することにより、これらの様々な処理を実行する様にしても良い。
【００３６】
さらに受信装置２は、マイク及び音声処理回路等の音声入力手段２６と、スピーカ及び音声処理回路等の音声出力手段２７と、英数字及び各種命令等のキー入力を受け付ける押釦等の操作手段２８と、キー入力された情報及び送受信する情報等の各種情報を表示する液晶ディスプレイ等の表示手段２９とを備えている。そして音声出力手段２７は、音声データに基づく出力処理として音声を出力し、表示手段２９は、映像データに基づく出力処理として映像を出力（表示）する。
【００３７】
次に本発明の無線通信方法を適用した通信システムが備える各種装置の処理を説明する。図３は、本発明の無線通信方法に係る送信装置１及び受信装置２の第１の測定処理の一例を示すフローチャートである。第１の測定処理は、送信装置１からの起動により、コンテンツデータを受信装置２へマルチキャストで送信するプッシュ型の通信処理にて実行される処理である。
【００３８】
送信装置１は、記録手段１１に記録したコンピュータプログラムを実行する制御手段１０の制御により、計時手段１６を参照して、予め設定されているコンテンツデータの送信予定時刻に到達したか否かを判定する（Ｓ１０１）。
【００３９】
ステップＳ１０１においてコンテンツデータの送信予定時刻に到達したと判定した場合（Ｓ１０１：ＹＥＳ）、送信装置１は、制御手段１０の制御により、コンテンツデータの送信の開始を示す送信開始信号を通信手段１４から送信する（Ｓ１０２）。
【００４０】
送信開始信号を送信後、送信装置１は、制御手段１０の制御により、通信品質の測定の対象となる測定データを重畳したコンテンツデータを、通信手段１４から送信し（Ｓ１０３）、処理を終了する。通信手段１４から送信されるコンテンツデータは、１２８ｋＢ等の所定長のパケットとして送信され、各パケットには、コンテンツデータの属性を示すヘッダ情報が含まれている。ヘッダ情報としては、例えば送信元の送信装置１を識別する送信装置ＩＤ、送信開始時刻、コンテンツデータを識別するコンテンツデータＩＤ、測定データを識別する識別データＩＤ、コンテンツデータのデータサイズ、パケット数、ＦＥＣ符号化の種類及び内容を示す情報、圧縮符号化の種類及び内容を示す情報、通信品質の判定に用いられる基準値等の様々な情報が含まれている。
【００４１】
ステップＳ１０１において、コンテンツデータの送信予定時刻に到達していないと判定した場合（Ｓ１０１：ＮＯ）、送信装置１は、制御手段１０の制御により、所定時間待機後、ステップＳ１０１へ戻り、以降の処理を繰り返す。
【００４２】
受信装置２は、記録手段２１に記録したコンピュータプログラムを実行する制御手段２０の制御により、通信手段２２が送信開始信号を受信したか否かを判定する（Ｓ２０１）。
【００４３】
ステップＳ２０１において、送信開始信号を受信したと判定した場合（Ｓ２０１：ＹＥＳ）、受信装置２は、制御手段２０の制御により、通信手段２２にて、測定データが重畳されたコンテンツデータを受信し（Ｓ２０２）、受信したコンテンツデータから測定データを分離する（Ｓ２０３）。
【００４４】
そして受信装置２は、制御手段２０の制御に基づいて、ＦＥＣデコード手段２３により、受信したコンテンツデータの欠損を補償するデコードを行い、デコードしたコンテンツデータを記録手段２１に記録する（Ｓ２０４）。なお使用者が所定の操作を行うことにより、受信装置２は、ステップＳ２０４にて記録されたコンテンツデータを伸長復号手段２４にて伸長復号し、伸長復号したコンテンツデータに基づく出力処理を開始する。コンテンツデータに基づく出力処理とは、コンテンツデータに含まれる音声データに基づいて音声出力手段２７から音声を出力する処理及びコンテンツデータに含まれる映像データに基づいて表示手段２９から映像を出力する処理である。
【００４５】
また受信装置２は、制御手段２０の制御に基づく測定手段２５の処理により、測定データに基づいて通信品質を測定し（Ｓ２０５）、更に測定した結果に係る数値と、パケットにヘッダ情報として含まれている基準値とを比較し（Ｓ２０６）、測定結果及び比較結果を表示手段２９から出力し（Ｓ２０７）、処理を終了する。
【００４６】
ステップＳ２０５にて測定される通信品質とは、ビット誤り率、パケット欠損率等の指標である。ビット誤り率は、受信した測定データ中の誤りビット数の比率を示す数値として測定される。パケット欠損率は、送信パケット数に対し、欠損パケット及び誤りが残存した状態で受信した異常パケットを除いた正常パケット数の比率を示す数値として測定される。例えば送信装置１から２００パケットの測定データが送信され、２０パケットが伝送中に消失し、受信装置２において、１８０パケットを受信し、受信した１８０パケットの中で、１０パケットが異常パケットであった場合、正常パケット数は１７０であり、パケット欠損率は１５％となる。なおパケット欠損率ではなく、正常パケット受信率として通信品質を測定する様にしても良く、その場合、前述した例では、正常パケット受信率は８５％となる。
【００４７】
ステップＳ２０１において、送信開始信号を受信していないと判定した場合（Ｓ２０１：ＮＯ）、受信装置２は、制御手段２０の制御により、所定時間待機後、ステップＳ２０１へ戻り、以降の処理を繰り返す。
【００４８】
ここでは第１の測定処理として、測定データを重畳したコンテンツデータを送信装置１から受信装置２へ送信する形態を示したが、本発明はこれに限らず、コンテンツデータのみ又は測定データのみを送信する様にしても良い。コンテンツデータのみを送信する場合、コンテンツデータの受信状況に基づいてビット誤り率、パケット欠損率等の通信品質の測定が行われる。なおコンテンツデータの受信状況に基づいて通信品質を測定する場合、受信した状態でのコンテンツデータに基づいて通信品質を測定するのではなく、使用者にとっての通信品質という観点から、ＦＥＣデコード手段２３による欠損補償を行った後の通信品質を測定することが望ましい。またその場合、測定結果と比較する基準値についても、ＦＥＣ符号化の種類及び内容に基づいて受信装置２側で決定する様にしても良い。
【００４９】
図４は、本発明の受信装置２が備える表示手段２９から出力される画像の例を示す説明図である。図４（ａ）は、通信品質の測定に係る処理が行われた後に出力される画像の例を示しており、通信品質の測定結果及び基準値の比較結果として「ダウンロード  状況：良好」の文字が示されている。また「詳細」の文字が示された画像、「再生」の文字が示された画像及び「閉じる」の文字が表示されている。使用者が受信装置２に対し、表示されている「詳細」と示された画像を指示する入力を行った場合、図４（ｂ）に示す画像が表示手段２９から出力される。図４（ｂ）では、通信品質の測定結果の詳細として、測定実施日、測定実施時刻、測定データのデータサイズ、送信パケット数、正常パケット数、正常パケット受信率、基準値及び判定結果が示されている。判定結果とは、通信品質の測定結果及び基準値の比較結果であり、測定結果である正常パケット受信率が９２％であり、基準値である８０％を上回っていることから「良好」との判定がなされたことを示している。また送信装置１から受信装置２へコンテンツデータのみを送信し、ＦＥＣ符号化の種類及び内容に基づいて基準値を決定する場合、数値として基準値を決定するのではなく、例えば欠損の補償が可能であるとき、通信品質は良好であると判定し、欠損の補償が不可能であるとき、通信品質は劣悪であると判定する様にしても良い。なお図４（ａ）において、使用者が受信装置２に対し、表示されている「再生」と示された画像を指示する入力を行った場合、コンテンツデータに基づく映像及び音声の出力処理が開始され、「閉じる」と示された画像を指示する入力を行った場合、通信品質の測定結果の出力が終了する。
【００５０】
図５は、本発明の受信装置２が備える表示手段２９から出力される画像の例を示す説明図である。図５（ａ）は、コンテンツデータである映像データに基づく映像及び品質測定の結果とを並べて表示する画像を示している。表示手段２９のほぼ全面にコンテンツデータに基づく映像が表示されており、表示手段２９の上部に通信品質の測定結果を示すアイコン２９ａの画像が示されている。図５（ｂ）及び図５（ｃ）は、通信品質の測定結果を示すアイコン２９ａの画像であり、図５（ｂ）は、通信品質の測定結果が基準値を上回っている場合に、通信品質が良好であることを示すアイコン２９ａであり、図５（ｃ）は、通信品質の測定結果が基準値を下回っている場合に、通信品質が劣悪であることを示すアイコン２９ａである。本発明の受信装置２では、図５（ａ）に示した様にコンテンツデータに基づく映像を表示すると共に、当該コンテンツデータに係る通信品質をアイコン２９ａとして表示する。
【００５１】
図６は、本発明の無線通信方法に係る送信装置１及び受信装置２の第２の測定処理の一例を示すフローチャートである。第２の測定処理は、受信装置２からの要求に対し、送信装置１からコンテンツデータをユニキャストでダウンロードするプル型の通信処理にて実行される処理である。受信装置２は、記録手段２１に記録したコンピュータプログラムを実行する制御手段２０の制御により、ダウンロードを要求する使用者の操作を操作手段２８にて受け付け（Ｓ３０１）、送信装置１に対してコンテンツデータのダウンロードを要求する送信要求を通信手段２２から送信する（Ｓ３０２）。
【００５２】
送信装置１は、記録手段１１に記録したコンピュータプログラムを実行する制御手段１０の制御により、通信手段１４が送信要求を受信したか否かを判定する（Ｓ４０１）。
【００５３】
ステップＳ４０１において、送信要求を受信したと判定した場合（Ｓ４０１：ＹＥＳ）、送信装置１は、制御手段１０の制御により、コンテンツデータの送信の開始を示す送信開始信号を通信手段１４から送信し（Ｓ４０２）、送信開始信号を送信後、通信品質の測定の対象となる測定データを重畳したコンテンツデータを通信手段１４から送信し（Ｓ４０３）、処理を終了する。
【００５４】
ステップＳ４０１において、送信要求を受信していないと判定した場合（Ｓ４０１：ＮＯ）、送信装置１は、制御手段１０の制御により、所定時間待機後、ステップＳ４０１へ戻り、以降の処理を繰り返す。
【００５５】
受信装置２は、制御手段２０の制御により、通信手段２２が送信開始信号を受信したか否かを判定する（Ｓ３０３）。
【００５６】
ステップＳ３０３において、送信開始信号を受信したと判定した場合（Ｓ３０３：ＹＥＳ）、受信装置２は、制御手段２０の制御により、通信手段２２にて、測定データが重畳されたコンテンツデータを受信し（Ｓ３０４）、受信したコンテンツデータから測定データを分離する（Ｓ３０５）。
【００５７】
そして受信装置２は、制御手段２０の制御に基づいて、ＦＥＣデコード手段２３より、受信したコンテンツデータの欠損を補償するデコードを行い、デコードしたコンテンツデータを記録手段２１に記録する（Ｓ３０６）。なお送信装置１からユニキャストでコンテンツデータをダウンロードするプル型の通信においては、コンテンツデータをストリーミングデータとして配信する場合がある。この様な場合、ステップＳ３０６では、コンテンツデータの受信に並行して、ＦＥＣデコード手段２３によるデコード及び伸長復号手段２４による伸長復号を行い、デコード及び伸長復号したコンテンツデータに基づいて出力処理を開始する。コンテンツデータに基づく出力処理とは、コンテンツデータに含まれる音声データに基づいて音声出力手段２７から音声を出力する処理及びコンテンツデータに含まれる映像データに基づいて表示手段２９から映像を出力する処理である。
【００５８】
また受信装置２は、制御手段２０の制御に基づく測定手段２５の処理により、測定データに基づいて通信品質を測定し（Ｓ３０７）、更に測定した結果に係る数値と基準値とを比較し（Ｓ３０８）、測定結果及び比較結果を表示手段２９から出力し（Ｓ３０９）、処理を終了する。
【００５９】
ステップＳ３０３において、送信開始信号を受信していないと判定した場合（Ｓ３０３：ＮＯ）、受信装置２は、制御手段２０の制御により、所定時間待機後、ステップＳ３０３へ戻り、以降の処理を繰り返す。
【００６０】
前述した様にストリーミングデータとしてコンテンツデータを配信する場合、測定結果の出力方法は、図５に示した様に、コンテンツデータに基づく映像を表示すると共に、当該コンテンツデータに係る通信品質をアイコン２９ａとして表示することが望ましい。
【００６１】
第２の測定処理においても、測定データを重畳したコンテンツデータを送信装置１から受信装置２へ送信するのではなく、コンテンツデータのみ又は測定データのみを送信する様にしても良い。またストリーミングデータとしてコンテンツデータを配信する場合、常に通信品質を測定するのではなく、使用者が所定の操作を行った場合に限り、通信品質の測定及び測定結果の出力を行う様にしても良い。
【００６２】
図７は、本発明の無線通信方法に係る送信装置１及び受信装置２の第３の測定処理の一例を示すフローチャートである。第３の測定処理は、送信装置１が使用可能な通信帯域の一部を用いて測定データをマルチキャストで常に送信している場合に実行される処理である。送信装置１は、記録手段１１に記録したコンピュータプログラムを実行する制御手段１０の制御により、通信手段１４から、測定データの送信の開始を示す送信開始信号を送信し（Ｓ５０１）、送信開始信号を送信後、通信品質の測定の対象となる測定データを送信する（Ｓ５０２）。送信開始信号の送信及び測定データの送信は一定の周期で繰り返される。
【００６３】
使用者は通信品質を測定する所定の操作を行うことにより、受信装置２は常に送信されている測定データに基づく測定処理を開始する。受信装置２は、記録手段２１に記録したコンピュータプログラムを実行する制御手段２０の制御により、通信手段２２が送信開始信号を受信したか否かを判定する（Ｓ６０１）。
【００６４】
ステップＳ６０１において、送信開始信号を受信したと判定した場合（Ｓ６０１：ＹＥＳ）、受信装置２は、制御手段２０の制御に基づく測定手段２５の処理により、通信手段２２にて、測定データを受信し（Ｓ６０２）、受信した測定データに基づいて通信品質を測定し（Ｓ６０３）、更に測定した結果に係る数値と基準値とを比較し（Ｓ６０４）、測定結果及び比較結果を表示手段２９から出力し（Ｓ６０５）、処理を終了する。
【００６５】
ステップＳ６０１において、送信開始信号を受信していないと判定した場合（Ｓ６０１：ＮＯ）、受信装置２は、制御手段２０の制御により、所定時間待機後、ステップＳ６０１へ戻り、以降の処理を繰り返す。
【００６６】
前記実施の形態では、受信装置として携帯電話を用いる形態を示したが、本発明はこれに限らず、携帯電話以外の無線通信装置、更には有線の通信装置に展開する等、様々な形態に展開することが可能である。
【図面の簡単な説明】
【００６７】
【図１】本発明の無線通信方法を適用した通信システムの構成例を概念的に示す説明図である。
【図２】本発明の無線通信方法を適用した通信システムが備える各種装置の構成例を示すブロック図である。
【図３】本発明の無線通信方法に係る送信装置及び受信装置の第１の測定処理の一例を示すフローチャートである。
【図４】本発明の受信装置が備える表示手段から出力される画像の例を示す説明図である。
【図５】本発明の受信装置が備える表示手段から出力される画像の例を示す説明図である。
【図６】本発明の無線通信方法に係る送信装置及び受信装置の第２の測定処理の一例を示すフローチャートである。
【図７】本発明の無線通信方法に係る送信装置及び受信装置の第３の測定処理の一例を示すフローチャートである。
【符号の説明】
【００６８】
１  送信装置
１０  制御手段
１１  記録手段
１２  圧縮符号化手段
１４  通信手段
２  受信装置
２０  制御手段
２１  記録手段
２２  通信手段
２３  ＦＥＣデコード手段
２４  伸長復号手段
２５  測定手段
２６  音声入力手段
２７  音声出力手段
２８  操作手段
２９  表示手段
【図１】
2008211361.tif 000003
【図２】
2008211361.tif 000004
【図３】
2008211361.tif 000005
【図４】
2008211361.tif 000006
【図５】
2008211361.tif 000007
【図６】
2008211361.tif 000008
【図７】
2008211361.tif 000009